(57)【要約】【課題】ホログラフィによる画像記録装置および画像記録方法において、システム構成の簡単化および位相シフトホログラムデータの高速取得化による画像の高速記録を図り、さらにカラー画像記録の簡単化と高速化を図る。【解決手段】画像記録装置１は、コヒーレント光２１を発生するコヒーレント光発生手段２と、コヒーレント光２１を参照光２２と照明光２３とに分けて出射するビームスプリッタ３と、照明光２３を物体１０に照射する照射手段４と、画素を構成する光センサ部を２次元配列した受光面５ａを有すると共に受光面５ａに入射する光の情報を記録する画像記録手段５と、参照光２２を画像記録手段５の受光面に入射させる参照光入射手段６とを備え、参照光入射手段６は、受光面５ａの各画素に入射する参照光ＬＲの主たる位相値が隣り合う画素において互いに所定の異なる値となるように、参照光ＬＲの伝播方向を傾けて、受光面５ａに参照光ＬＲを入射させる。【選択図】図１
2008122565.tif 000002
【特許請求の範囲】
【請求項１】
位相シフトデジタルホログラフィ法により物体の画像を電子的に記録する画像記録装置において、
コヒーレント光を発生するコヒーレント光発生手段と、
前記コヒーレント光発生手段により発生されたコヒーレント光を参照光と照明光とに分けて出射するビームスプリッタと、
前記ビームスプリッタによって出射された照明光を物体に照射する照射手段と、
画素を構成する光センサ部を２次元配列して成る受光面を有すると共に該受光面に入射する光の情報を記録する画像記録手段と、
前記ビームスプリッタによって出射された参照光を前記画像記録手段の受光面に入射させる参照光入射手段と、を備え、
前記参照光入射手段は、前記受光面の各画素に入射する参照光の主たる位相値が隣り合う画素において互いに異なる値となるように、当該参照光の伝播方向を前記受光面の法線方向から傾け、
前記画像記録手段は、前記参照光入射手段により入射される参照光と前記照射手段による照明光の照射により発生する物体からの物体光とが前記受光面に形成する干渉パターンを物体の画像情報として電子的に記録することを特徴とする画像記録装置。
【請求項２】
前記参照光入射手段は、前記各画素に入射する参照光の主たる位相値が互いに隣り合う画素間においてπ／２またはπの位相差となるように、当該参照光を入射させることを特徴とする請求項１に記載の画像記録装置。
【請求項３】
前記画像記録手段は、ＣＣＤ画像センサを用いて構成されていることを特徴とする請求項１に記載の画像記録装置。
【請求項４】
前記画像記録手段は、ＣＭＯＳ画像センサを用いて構成されていることを特徴とする請求項１に記載の画像記録装置。
【請求項５】
前記コヒーレント光発生手段は、赤色、緑色、青色の３色のコヒーレント光を発生するように３つ備えられ、前記ビームスプリッタと、前記照射手段と、前記参照光入射手段とが、それぞれ前記各コヒーレント光発生手段に対応して備えられていることを特徴とする請求項１に記載の画像記録装置。
【請求項６】
互いにコヒーレントな参照光と照明光とを生成する光束生成工程と、
画素を構成する光センサ部を２次元配列して成る受光面に、前記受光面の各画素に入射する光波の主たる位相値が隣り合う画素において互いに異なる値となるように伝播方向を前記受光面の法線方向から傾けて、前記参照光を入射させる参照光入射工程と、
前記参照光入射工程に並行して前記照明光を物体に照射する照射工程と、
前記参照光入射工程により受光面に入射した参照光と前記照射工程による照明光の照射によって発生する物体からの物体光とが前記受光面に形成する干渉パターンを物体の画像情報として電子的に記録する画像記録工程と、を備えることを特徴とする画像記録方法。
【請求項７】
前記画像記録工程によって記録した画像情報に基づいて物体光の複素振幅を求める振幅演算工程を備えることを特徴とする請求項６に記載の画像記録方法。
【発明の詳細な説明】
【技術分野】
【０００１】
本発明は、位相シフトデジタルホログラフィ法により物体の画像を電子的に記録する画像記録装置および画像記録方法に関する。
【背景技術】
【０００２】
ホログラフィは、レーザ光を互いにコヒーレントな照明光と参照光に分け、モデルとなる物体を照明光により照射して発生した物体光と別経路を伝播してきた参照光とを写真乾板面で受光し、受光面での干渉パターンを写真乾板に記録する技術であり、この乾板を現像したものがホログラムである。ホログラムに再生照明光を当てることによって物体のあった位置に物体の立体像(虚像)を再生して見ることができる。
【０００３】
計算機ホログラフィは、計算機内部のデータとして物体を表現し、光の反射、回折、干渉の物理シミュレーションを計算機上で行い、ホログラム面として定めた任意の面上での干渉パターンのデータを計算する技術である。計算結果に基づき、何らかの表示デバイスを用いてホログラムを製作する。物体を計算機上のデータで定義するので、モデルとなる物体が不要であり、光学的な補正が可能である。また、メモリに記録した干渉パターンを反射型液晶ディスプレイなどに次々と表示してホログラムを実体化すると共に参照光を照射して物体像を連続的に再生できる。
【０００４】
ディジタルホログラフィは、写真乾板ではなくＣＣＤ画像センサやＣＭＯＳ画像センサなどによって干渉パターンを検出して電子的に記録する。記録された光強度分布を計算機で数値処理し物体光波を算出してホログラムを作成する。ディジタルホログラフィを用いれば、画像センサ面における２次元の複素振幅分布の形で物体光の波面情報を取得できる。この波面情報に基づいて、上述の計算機ホログラフィと同様に、様々な視点や位置での物体像が得られる。また、ディジタルホログラフィでは、物体光どうしが作る干渉縞を取り除いて高画質３次元画像を記録することができる。
【０００５】
位相シフトデジタルホログラフィは、上述の複素振幅分布を取得する技術である。従来の写真乾板などを用いるホログラムは、光波の瞬時位相を記録する代わりに干渉という方法によって物体光の位相情報を固定化して記録するので、実数型のデータである。複素振幅は、振幅と位相、あるいは実数部と虚数部といった複数のデータから成る。従って、複素振幅を求めるには、複数枚のホログラムデータが必要であり、位相シフトデジタルホログラフィでは、物体光に対する参照光の位相状態が互いに異なる複数枚のホログラムデータを用いる。
【０００６】
参照光の位相をシフトする方法として、薄いガラス板を参照光の伝播経路に挿入したり、参照光を反射するミラーの位置をピエゾ素子を用いて移動させたりする方法がある。例えば、ピエゾ素子を用いて、参照光の位相をπ／２ずつシフトさせた状態で３種類のホログラムデータを取得し、３枚のホログラムの各画素データ間の連立方程式から物体光の複素振幅を求める例が知られている（例えば、特許文献１参照）。
【０００７】
また、参照光の位相状態を受光面の画素毎に異ならせて、複数枚のホログラムデータを一括して取得する方法がある。例えば、隣接する素子が互いにπ／２ずつ位相を異ならせるようにアレイ配置した位相シフトアレイ素子を参照光の伝播経路に挿入して、参照光の断面に位相分布を持たせることにより、１枚のホログラムに参照光の位相が０，π／２，π，３π／２の４段階に変化させた干渉パターンの情報を記録する。この場合、一枚のホログラム中の画素データの１／４ずつが４種類のホログラムをそれぞれ形成している（例えば、特許文献２参照）。
【特許文献１】特許第３４７１５５６号公報
【特許文献２】特開２００５−２８３６８３号公報
【発明の開示】
【発明が解決しようとする課題】
【０００８】
しかしながら、上述した特許文献１に示されるような位相シフトデジタルホログラフィによる画像記録においては、位相状態の異なる複数のホログラムを記録するのに、参照光の位相状態を変化させて複数回記録する必要があり、画像記録の高速化に限界がある。また、一般に位相シフトのための制御パラメータに対するシフト量が波長依存性を有するので、カラー画像を記録する場合に、各色毎の参照光システムが必要になるが、各色毎かつ参照光の位相状態毎に、高速にホログラムを記録するのは難しくなる。
【０００９】
また、上述した特許文献２に示されるような位相シフトデジタルホログラフィによる画像記録においては、位相シフトアレイ素子とＣＣＤ画像センサのそれぞれの画素位置を厳密に一致させる必要があり、高い位置合わせ精度が要求されるので、外乱による画素位置ずれに対する信頼性確保などの問題もある。また、このような位相シフトアレイ素子を高精度で低コスト化するのは難しいと思われる。
【００１０】
本発明は、上記課題を解消するものであって、システム構成の簡単化および位相シフトホログラムデータの高速取得化を実現して画像の高速記録を可能とし、さらにカラー画像記録の簡単化と高速化を容易に実現できるホログラフィによる画像記録装置および画像記録方法を提供することを目的とする。
【課題を解決するための手段】
【００１１】
上記課題を達成するために、請求項１の発明は、位相シフトデジタルホログラフィ法により物体の画像を電子的に記録する画像記録装置において、コヒーレント光を発生するコヒーレント光発生手段と、前記コヒーレント光発生手段により発生されたコヒーレント光を参照光と照明光とに分けて出射するビームスプリッタと、前記ビームスプリッタによって出射された照明光を物体に照射する照射手段と、画素を構成する光センサ部を２次元配列して成る受光面を有すると共に該受光面に入射する光の情報を記録する画像記録手段と、前記ビームスプリッタによって出射された参照光を前記画像記録手段の受光面に入射させる参照光入射手段と、を備え、前記参照光入射手段は、前記受光面の各画素に入射する参照光の主たる位相値が隣り合う画素において互いに異なる値となるように、当該参照光の伝播方向を前記受光面の法線方向から傾け、前記画像記録手段は、前記参照光入射手段により入射される参照光と前記照射手段による照明光の照射により発生する物体からの物体光とが前記受光面に形成する干渉パターンを物体の画像情報として電子的に記録するものである。
【００１２】
請求項２の発明は、請求項１に記載の画像記録装置において、前記参照光入射手段は、前記各画素に入射する参照光の主たる位相値が互いに隣り合う画素間においてπ／２またはπの位相差となるように、当該参照光を入射させるものである。
【００１３】
請求項３の発明は、請求項１に記載の画像記録装置において、前記画像記録手段は、ＣＣＤ画像センサを用いて構成されているものである。
【００１４】
請求項４の発明は、請求項１に記載の画像記録装置において、前記画像記録手段は、ＣＭＯＳ画像センサを用いて構成されているものである。
【００１５】
請求項５の発明は、請求項１に記載の画像記録装置において、前記コヒーレント光発生手段は、赤色、緑色、青色の３色のコヒーレント光を発生するように３つ備えられ、前記ビームスプリッタと、前記照射手段と、前記参照光入射手段とが、それぞれ前記各コヒーレント光発生手段に対応して備えられているものである。
【００１６】
請求項６の発明は、互いにコヒーレントな参照光と照明光とを生成する光束生成工程と、画素を構成する光センサ部を２次元配列して成る受光面に、前記受光面の各画素に入射する光波の主たる位相値が隣り合う画素において互いに異なる値となるように伝播方向を前記受光面の法線方向から傾けて、前記参照光を入射させる参照光入射工程と、前記参照光入射工程に並行して前記照明光を物体に照射する照射工程と、前記参照光入射工程により受光面に入射した参照光と前記照射工程による照明光の照射によって発生する物体からの物体光とが前記受光面に形成する干渉パターンを物体の画像情報として電子的に記録する画像記録工程と、を備える画像記録方法である。
【００１７】
請求項７の発明は、請求項６に記載の画像記録方法において、前記画像記録工程によって記録した画像情報に基づいて物体光の複素振幅を求める振幅演算工程を備えるものである。
【発明の効果】
【００１８】
請求項１の発明によれば、受光面の各画素に入射する参照光の主たる位相値が隣り合う画素において互いに異なる値となるように、参照光の伝播方向を受光面の法線方向から傾けるので、物体光の複素振幅を決定するために必要な画像情報、すなわち、位相シフトデジタルホログラフィにおける互いに参照光の位相状態が異なる複数枚のホログラムデータ（以下、位相シフトホログラムデータともいう）を１回の記録で取得できる。従って、位相シフトホログラムデータの高速取得による画像の高速記録を実現できる。本発明は、平面波から成る参照光を受光面に斜め照射すると受光面上で参照光位相が周期的に分布する現象に基づいており、この位相の周期分布を利用して参照光位相が異なる複数の干渉パターンを同時に記録するものである。
【００１９】
従って、隣り合う画素において位相値を互いに異なる値とするには、参照波の伝播方向を受光面の法線方向から傾けるだけでよいので、位相を変えるための空間光変調素子や位相シフトアレイ素子、あるいは光路中に挿入するガラスなどの位相変調板が不要であり、参照光入射手段のシステム構成が簡単となる。このように、参照光入射手段による条件調整が伝播方向の調整だけでよいので、画像記録装置の安定性の確保が容易であり、信頼性の高い使い勝手の良い装置を実現できる。
【００２０】
また、本発明によると、カラー画像記録の簡単化と高速化を容易に実現できる。すなわち、赤緑青の３色の平行参照光それぞれの入射角を設定するだけで、３色に対応する３回の記録により、カラー化に必要な位相シフトホログラムデータを取得できる。また、異なる色の光毎に入射角の調整を行うだけで、受光面の画素の位相分担を異なる色に対して共通化できる。つまり、位相シフトにおける波長依存性を入射角によって吸収できるので、システム構成を複雑化することなく、カラー画像対応を容易に実現できる。
【００２１】
上述の３色に対応する３回の位相シフトホログラムデータの取得は、コヒーレント光発生手段を各色のパルスレーザ光源を用いて構成することにより、レーザ光源の高速切替えにより高速に実行できる。そこで、本発明によれば、パルスレーザと受光素子を用いてコンパクトで安価な３次元動画像記録装置を実現でき、移動する被写体や変化する被写体のカラー画像を高速に記録したり、高画質３次元カラー動画像をリアルタイム記録したりできる。本発明の画像記録装置は、ノイズの少ない鮮明な３次元カラー動画像表示のための画像記録が可能であり、映像技術分野、情報分野、医療分野、設計支援分野、バーチャルリアリティなどの分野において用いることができる。
【００２２】
請求項２の発明によれば、正方格子状に画素を配置して成る受光面を、互いに隣り合う画素間の位相差がπとなる田の字状に組み合わせた４つの画素の組で覆い尽くすことにより、位相状態の異なる２枚のホログラムデータを１回の記録で取得できる。画素配置が簡単であり、データ処理が容易である。ホログラムデータから物体光の複素振幅を求めるには、物体光の振幅、参照光の振幅、および物体光と参照光間の位相差の３つの未知数を求める必要がある。そこで、物体光または参照光のいずれか一方の光を遮断し他方の光の強度を測定する測定を追加することにより、未知数を１つ減らすことができる。
【００２３】
また、正方格子状に画素を配置して成る受光面を、互いに隣り合う画素間の位相差がπ／２となるように直線状に組み合わせた４つの画素の組で覆い尽くして、位相状態の異なる４枚のホログラムデータを１回の記録で取得できる。４枚のホログラムデータの内、３枚または４枚のデータを用いて物体光の複素振幅を求めることができる。
【００２４】
また、正方格子状に画素を配置して成る受光面を、互いに隣り合う一方向の画素間の位相差がπおよび他方向の画素間の位相差がπ／２となる画素を２×４に組み合わせた８つの組で覆い尽くして、位相状態の異なる４枚のホログラムデータを１回の記録で取得できる。この場合、将棋やチェスの桂馬飛びの配置によって、位相値を同じとする画素を８画素の中に２画素ずつ配置する。また、２個並び画素間では位相差をπとし、４個並びの画素間では位相差をπ／２とする。このような同位相画素の配置によると、同じ位相となる画素の分布を一様化でき、データ点の分布の片寄りを抑えて、位相状態の異なる４枚のホログラムデータを１回の記録で取得できる。
【００２５】
請求項３の発明によれば、ノイズが少なく画素寸法を小さくできるＣＣＤ画像センサを用いて画像記録手段を構成するので、精細でノイズの少ない画像を記録できる。
【００２６】
請求項４の発明によれば、読み出す画素の選択の自由度があり、低電圧で動作し、消費電力を小さくできるＣＭＯＳ画像センサを用いて画像記録手段を構成するので、使いやすい画像記録装置を実現できる。
【００２７】
請求項５の発明によれば、３色のコヒーレント光によるホログラムデータを取得するためのシステムを備えているので、カラー画像の記録が容易に行える。３色に対応する３回の位相シフトホログラムデータの取得は、コヒーレント光発生手段として各色毎のレーザ光源を用いて、レーザ光源の切替えにより実行できる。また、レーザ光源としてパルスレーザ光源を用いると、より高速にカラー画像の記録を実行できる。光速記録により、移動物体や時間変化現象を画像化できる。
【００２８】
請求項６の発明によれば、受光面の各画素に入射する参照光の主たる位相値が隣り合う画素において互いに異なる値となるように伝播方向を傾けて、参照光を受光面に入射させて、受光面における参照光と物体光との干渉パターンを記録するので、物体光の複素振幅を決定するために必要な画像情報、すなわち、位相シフトデジタルホログラフィにおける位相状態の異なるホログラムデータを１回の記録で、容易に取得することができる。
【００２９】
請求項７の発明によれば、記録された画像情報に基づいて複素振幅を求めるので、この複素振幅を用いて、共役像などを除去したノイズの少ない画像を容易に再生できる。
【発明を実施するための最良の形態】
【００３０】
以下、本発明の実施形態に係る位相シフトデジタルホログラフィ法に基づく画像記録装置および画像記録方法について、図面を参照して説明する。
【００３１】
（第１の実施形態）
図１は第１の実施形態に係る画像記録装置１を示す。画像記録装置１は、コヒーレント光を発生するコヒーレント光発生手段２と、コヒーレント光発生手段２からのコヒーレント光２１を参照光２２と照明光２３とに分けて出射するビームスプリッタ３と、ビームスプリッタ３によって出射された照明光２３を物体１０に照射する照射手段４と、画素を構成する光センサ部を２次元配列して成る受光面５ａを有すると共に受光面５ａに入射する光の情報を記録する画像記録手段５と、ビームスプリッタ３によって出射された参照光２２を画像記録手段５の受光面に入射させる参照光入射手段６とを備えている。
【００３２】
コヒーレント光発生手段２は、レーザで構成される。従って、コヒーレント光２１はレーザ光である。ビームスプリッタ３は、例えば、ハーフミラーで構成される。参照光２２はビームスプリッタ３を通過したコヒーレント光２１であり、照明光２３はビームスプリッタ３によって反射されたコヒーレント光２１である。
【００３３】
照射手段４は、レンズ４１，４２を備え、これらのレンズ４１，４２のコリメータ機能によって照明光２３のビーム径を拡大して平行光とした照明光Ｌｉを、物体１０に照射する。照明光Ｌｉは、平行光であるので、平面波である。なお、照明光Ｌｉは、平行光である必要はなく、平面波である必要もない。
【００３４】
画像記録手段５は、例えば、ＣＣＤ画像センサからなる画像センサ５１と、画像センサ５１から出力される画像データを記録し、データ処理する画像記録部５２と、を備えている。ＣＣＤ画像センサの光センサ部が画素を構成し、光センサ部の２次元配列面が受光面５ａを構成する。
【００３５】
参照光入射手段６は、ミラーＭ、レンズ６１，６２を備え、ミラーＭによって参照光２２の向きを変えると共に、レンズ６１，６２のコリメータ機能によって参照光２２のビーム径を拡大し平行光とした参照光ＬＲを、受光面５ａに入射する。参照光ＬＲは、照明光Ｌｉと同様に平行光であるので、平面波である。
【００３６】
この参照光入射手段６は、受光面５ａの各画素に入射する参照光ＬＲの主たる位相値が隣り合う画素において互いに所定の異なる値となるように、参照光ＬＲの伝播方向を受光面５ａの法線方向から所定の角度傾けて、受光面５ａに参照光ＬＲを入射させる。このような参照光ＬＲの受光面５ａへの入射は、本発明における位相シフトデジタルホログラフィの特徴であり、後述の第２の実施形態の説明の後に、まとめて詳細説明する。
【００３７】
上述の構成のもとで、参照光入射手段６によって入射された参照光ＬＲと、照射手段４による照明光Ｌｉの照射によって発生した物体１０からの物体光Ｌｏとが受光面５ａに干渉パターンを形成する。当然のことながら、画像記録装置１における光学系は、コヒーレント光発生手段２のレーザ光源から受光面５ａまでの、参照光ＬＲと物体光Ｌｏの両者の経路長差がレーザ光のコヒーレンス長内に収まる設定とされている。画像記録手段５は、受光面５ａ上の干渉パターンを画像センサ５１によって検知し、その出力を物体１０の画像情報として、画像記録部５２に電子的に記録する。記録した画像データは、画像記録装置が別途備えた通信手段や可搬性記録媒体などを用いて、移動でき、他の場所や装置で利用することができる。
【００３８】
上述の参照光入射手段６による受光面５ａへの参照光ＬＲの入射は、特定の画素毎に特定の位相状態が現れるように、受光面５ａに対する入射角度によって調整されているので、画像記録手段５によって記録された画像情報は、位相シフトデジタルホログラフィにおける位相状態の異なる複数枚のホログラムデータ（複数枚の位相シフトホログラムデータ）をまとめて記録したものとなっている。言い換えると、２次元配列された画素全体が一度に受け取る画像情報は、複数枚の位相シフトホログラムデータに対応している。
【００３９】
なお、画像記録手段５は、画像センサ５１として、ＣＣＤ画像センサの代わりＣＭＯＳ画像センサを用いるようにしてもよい。この場合も、ＣＣＤ画像センサと同様に、ＣＭＯＳ画像センサの光センサ部が画素を構成し、その２次元配列面が受光面５ａを構成する。
【００４０】
画像記録手段５にＣＣＤ画像センサを用いる場合、ノイズが少なく画素寸法の小さい受光面５ａを形成でき、精細でノイズの少ない画像を記録できる。また、画像記録手段５にＣＭＯＳ画像センサを用いる場合、読み出す画素の選択の自由度が高く、低電圧動作し、消費電力が小さいなどの特性を生かして、使いやすい画像記録装置１を実現できる。
【００４１】
（第２の実施形態）
図２は第２の実施形態に係る画像記録方法のフローチャートを示す。本実施形態の画像記録方法は、例えば、上述の第１の実施形態の画像記録装置１を用いて、位相シフトホログラフィによる画像を記録する方法である。そこで、図１を再度参照して説明する。従って、ここでの説明は、上述した内容と一部重複した内容となっている。すなわち、この画像記録方法は、互いにコヒーレントな参照光ＬＲと照明光Ｌｉとを生成する光束生成工程Ｓ１と、画素を構成する光センサ部を２次元配列して成る受光面５ａに、受光面５ａの各画素に入射する光波の主たる位相値が隣り合う画素において互いに異なる値となるように伝播方向を受光面５ａの法線方向から傾けて、参照光ＬＲを入射させる参照光入射工程Ｓ２とを備えている。
【００４２】
また、本画像記録方法は、上述の参照光入射工程Ｓ２に並行して照明光Ｌｉを物体１０に照射する照射工程Ｓ３と、参照光入射工程Ｓ２により受光面５ａに入射した参照光ＬＲと照射工程Ｓ３による照明光Ｌｉの照射によって発生する物体１０からの物体光Ｌｏとが受光面５ａに形成する干渉パターンを物体１０の画像情報として電子的に記録する画像記録工程Ｓ４と、を備えている。
【００４３】
この画像記録方法によれば、受光面５ａの各画素に入射する参照光ＬＲの主たる位相値が隣り合う画素において互いに異なる値となるように伝播方向を傾けて、参照光ＬＲを受光面５ａに入射させて、受光面５ａにおける参照光ＬＲと物体光Ｌｏとの干渉パターンを記録するので、物体光Ｌｏの複素振幅を決定するために必要な画像情報、すなわち、位相シフトデジタルホログラフィにおける位相状態の異なる複数のホログラムデータを１回の記録で、容易に取得することができる。
【００４４】
また、上述の画像記録方法は、さらに、画像記録工程Ｓ４によって記録した画像情報に基づいて物体光Ｌｏの複素振幅を求める振幅演算工程Ｓ５を備えることができる。振幅演算工程Ｓ５により、記録された画像情報に基づいて複素振幅を求めるので、次工程において画像を再生する際に、この複素振幅を用いて、共役像などを除去したノイズの少ない画像の再生が容易となり、画像情報の利用効率が向上する。
【００４５】
（第１及び第２の実施形態における参照光入射の詳細説明）
図３（ａ）（ｂ）、図４（ａ）（ｂ）を参照して、参照光ＬＲの斜め入射による位相シフトを説明する。本発明の画像記録装置１及び画像記録方法においては、ＣＣＤ画像センサのような受光デバイスの受光面５ａに、平行参照光ＬＲを斜め照射し、受光面５ａにおける参照光ＬＲの位相を周期的に分布させて物体光Ｌｏと参照光ＬＲが形成する干渉パターンを記録する。
【００４６】
受光面５ａにおける各画素は、通常の画像センサで行われているように、各画素のセンサ部全面で積分した受光強度を各画素の受光強度とするので、各画素毎に記録される受光強度は、各画素の中心における受光強度に比例する。従って、ＣＣＤ画像センサなどを用いて受光強度を記録すると、受光面５ａにおいて画素ピッチと等しい間隔でサンプリングした干渉パターンを記録することができる。
【００４７】
参照光ＬＲの各画素における主たる位相（すなわち画素中心での位相）が、画素ピッチの整数倍の周期で受光面５ａに分布するように、参照光ＬＲの入射角を設定すると、位相シフト素子を用いることなく、参照光ＬＲの位相状態が互いに異なる複数の干渉パターンの組、つまり位相シフトデジタルホログラフィ法における互いに位相状態の異なる複数のホログラムデータを１回の撮影で取得できる。
【００４８】
（平行参照光の斜め照射と画素の位相）
図３（ａ）（ｂ）は、画像記録装置１および画像記録方法における波長λを有する参照光ＬＲの受光面５ａへの斜め入射の様子を示す。ここで、受光面５ａをｘ−ｙ平面とし、受光面５ａに垂直に入射する方向をｚ軸とするｘｙｚ直交座標系を定義する。受光面５ａには画素が升目格子状に配列されているとし、ｘ軸、ｙ軸は、画素の配列方向とする。
【００４９】
受光面５ａに斜め入射する参照光ＬＲを、図３（ａ）（ｂ）に示すように、ｚ−ｘ平面内で入射角がθｘであり、ｚ−ｙ平面内で入射角がθｙであるとすると、ｘ＝ｙ＝０の点を基準とした、受光面５ａにおける参照光ＬＲの位相分布φＲ（ｘ，ｙ）は、次式（１）のようになる。
【００５０】
【数１】
2008122565.tif 000003
【００５１】
上式（１）は、位相分布φＲ（ｘ，ｙ）が、ｘ軸方向とｙ軸方向にそれぞれ周期λ／ｓｉｎθｘおよびλ／ｓｉｎθｙで変化すること、すなわち、受光面５ａにおいて線状分布した等位相点（位相値一定の波面と受光面５ａとのなす交線）が周期的に分布することを示している。従って、物体光Ｌｏと参照光ＬＲとが作る干渉パターンを受光素子表面において等位相値画素をサンプリングして記録すれば、光位相の異なる複数の干渉パターンを１回の撮影で記録することができる。
【００５２】
上述のことは、参照光ＬＲを斜め入射することによる効果である。もし、参照光ＬＲを受光面５ａに垂直入射させると、θｘ＝θｙ＝０、従って、φＲ（ｘ，ｙ）＝０となり、受光面５ａにおける位相分布は得られない。
【００５３】
ここで、受光面５ａにおける画素毎の位相分布の具体例を説明する。図４（ａ）は、参照光ＬＲの波長λ、画素配列のピッチに応じて、上述の入射角θｘ，θｙを適切に選択することにより、ｘ−ｙ座標の原点を基準とした位相がπ／２，３π／２，π／２，３π／２と田の字に組み合わされた４つの画素の組によって、受光面５ａを覆い尽くす様子を示す（各区画が画素領域を示し、以下において同じ）。この受光面５ａの状態は、各画素に入射する参照光ＬＲの主たる位相値が隣り合う画素において互いに異なる値、すなわち互いに隣り合う画素間における位相差がπの状態を示す。
【００５４】
図４（ａ）の受光面５ａにおいて、位相値が３π／２とされた画素の組により１枚の位相シフトデジタルホログラムが得られ、位相値がπ／２とされた画素の組によりもう１枚の位相シフトデジタルホログラムが得られる。すなわち、互いに参照光ＬＲの位相がπだけシフトした２枚の位相シフトホログラムデータが１回の記録で取得できる。
【００５５】
上述の画素配置は簡単であり、データ処理が容易である。なお、ホログラムデータから物体光Ｌｏの複素振幅を求めるには、物体光Ｌｏの振幅、参照光ＬＲの振幅、および物体光Ｌｏと参照光ＬＲ間の位相差の３つの未知数を求める必要がある。そこで、物体光Ｌｏまたは参照光ＬＲのいずれか一方の光を遮断し他方の光の強度を測定する測定を追加することにより、未知数を１つ減らすことにより、物体光Ｌｏの複素振幅を求めることができる。
【００５６】
図４（ｂ）は、ｘ−ｙ座標の原点を基準とした位相がπ／４，３π／４，−３π／４，−π／４となるようにｘ方向とｙ方向のそれぞれの方向に並べて組み合わされた４つの画素の組によって、受光面５ａを覆い尽くす様子を示す。主たる位相値が隣り合う画素間において互いにπ／２だけ異なっている。この状態の位相値分布によると、位相状態の異なる４枚のホログラムデータを１回の記録で取得できる。しかしながら、同位相値画素の分布が筋状に片寄っているので、図４（ｂ）の例は、あまり好ましいものではない。
【００５７】
（より好ましい位相シフト対応の画素分布）
図５は、位相状態の異なる４枚のホログラムデータを１回の記録で取得できる、より好ましい位相と画素の配置を示す。このような配置は、再度述べると、参照光ＬＲの波長λ、画素配列のピッチに応じて、図３（ａ）（ｂ）に示した入射角θｘ，θｙを適切に選択することにより構成される。すなわち、参照光ＬＲの入射条件設定により、各画素に対して位相シフトの属性が決定される。そのような参照光ＬＲの入射条件設定の結果、正方格子状に画素を配置して成る受光面５ａを、位相が−３π／４，−π／４，π／２，３π／４の画素を２×４に組み合わせた８つの組で覆い尽くすようにでき、位相状態の異なる４枚のホログラムデータを１回の記録で取得できる。
【００５８】
図５において、ｘ軸方向に２個、ｙ軸方向に４個並んだ８個の画素（図中の太実線枠内の画素）に注目すると、将棋やチェスの桂馬飛びの配置で、左下の＋３π／４の画素に対応する画素が、１つ右かつ２つ上の位置に配置されている。全ての画素が、互いに位相を同じとする画素を桂馬飛び配置にして配置されている。また、ｘ軸方向の２個並び画素間では位相差をπとし、ｙ方向の４個並びの画素間では位相差をπ／２としている。このような位相と画素の配置によると、受光面５ａにおける同じ位相となる画素の分布をより一様化（均一化）できるので、データ点の分布の片寄りを抑えた、高品位の位相シフトデジタルホログラムデータを取得できる。
【００５９】
上述の一様性の様子は、図６に示した濃淡図によって確認することができる。この濃淡図は、上述の入射条件に設定した参照光ＬＲと受光面５ａに垂直入射させた平行物体光Ｌｏとの干渉パターンを記録して得られたものである。
【００６０】
なお、このような濃淡図は、参照光ＬＲの入射角θｘ，θｙを所定の角度に設定するための調整手段として用いることができる。すなわち、画像センサ５１から出力される画像を拡大してモニタに表示して、各画素毎の濃淡表示が鮮明に得られるように、参照光ＬＲの入射角θｘ，θｙを調整すればよい。また、このような調整は、濃淡値に対応する電気信号値を目標値として、入射角θｘ，θｙを操作する手段、例えば、ミラーＭを傾動駆動するアクチュエータ手段の制御電流を制御する制御手段を設けて、この制御手段によって自動化することができる。
【００６１】
（干渉パターンのサンプリング）
上述の図５に示した位相値分布となるように入射条件を設定した参照光ＬＲと、照明光Ｌｉによって照明された物体１０から放射される散乱光（物体光Ｌｏ）とが、受光面５ａに入射すると、参照光ＬＲと物体光Ｌｏとが作る干渉パターンを、ホログラムとして記録する。この記録の内容を、数式を用いて説明する。受光面５ａにおける角周波数ωの物体光ＬｏをＯ（ｘ，ｙ，ｔ）とし、参照光ＬＲをＲ（ｘ，ｙ，ｔ）として、一般的な波動の式で表すと、次式（２）（３）となる。また、受光面５ａにおいて時間平均されて測定される光強度Ｉ（ｘ，ｙ）は次式（４）となる。式（４）は、ホログラムの数学的表現になっている。
【００６２】
【数２】
2008122565.tif 000004
【００６３】
上式（４）の右辺第１項と第２項は、それぞれ物体光Ｌｏと参照光ＬＲの光強度に対応し、これらは、直流成分Ｉｄと物体光Ｌｏどうしの干渉で生じる低周波数成分ＩＬ（ｘ，ｙ）を構成する。この第１項と第２項は、物体光Ｌｏおよび参照光ＬＲの位相を含まない。第３項は、物体光Ｌｏと参照光ＬＲとが作る干渉パターンの交流成分を表す高周波数成分ＩＨ（ｘ，ｙ）である。この第３項には、物体光Ｌｏの波面情報である振幅ＯＯと位相φＯが含まれている。すなわち、物体光Ｌｏの波面情報（複素振幅）が、右辺第３項によって記録される。振幅ＯＯと位相φＯが求められると、物体光Ｌｏの複素振幅が得られたことになり、複素振幅によって物体光Ｌｏの波面の再生、つまり像再生をすることができる。
【００６４】
上述の式（４）に対応するデータを、参照光ＬＲの位相が異なる条件で複数測定することにより、すなわち、複数の位相シフトホログラムデータを記録することにより、データ間の連立方程式に基づいて、振幅ＯＯと位相φＯを求めることができる。
【００６５】
上述の干渉パターンＩ（ｘ，ｙ）を、画素ピッチがｄ、画素数がＮ×Ｎという、有限の受光面での記録の場合について説明する。
【００６６】
この場合、受光面５ａにおける干渉パターンは、上述の画素ピッチｄと受光面のサイズＮとから決まる基本周期Ｎｄのフーリエ級数で表すことができる。そこで、視野角θＯの物体光Ｌｏに対する高周波数成分ＩＨ（ｘ，ｙ）は、整数ｍとｎが範囲ｍＭＩＮ＜ｍ＜ｍＭＡＸおよびｎＭＩＮ＜ｎ＜ｎＭＡＸにあるフーリエ級数によって、次式（５）のように表される。なお、以下に現れる式中の大文字Ｉの上のチルダは無視される。
【００６７】
【数３】
2008122565.tif 000005
【００６８】
ところで、ＣＣＤ画像センサなどの各画素では、光センサ部の全面で積分した値を入射光の強度として記録するので、中心座標（ｘＳ，ｙＳ）を有する画素により記録される高周波数成分の値は、次式（６）となる。
【００６９】
【数４】
2008122565.tif 000006
【００７０】
上式（６）の右辺の関数（πｍ／Ｎ）ｓｉｎ（πｍ／Ｎ）（πｎ／Ｎ）ｓｉｎ（πｎ／Ｎ）は、整数ｍとｎに対して緩やかに変化する。従って、ＩＨ（ｘ，ｙ）の積分値は、不等式、θＯ＜＜（λ／ｄ）を満たすような視野角θＯをもつ物体（被写体）に対して次式（７）のように近似できる。
【００７１】
【数５】
2008122565.tif 000007
【００７２】
ここに、整数ｍＲとｎＲは参照光の入射角から決まり、それぞれ、ｍＲ＝Ｎ（ｄ／λ）ｓｉｎ（θｘ）、および、ｎＲ＝Ｎ（ｄ／λ）ｓｉｎ（θｙ）、で与えられる。つまり、各画素で記録される高周波数成分ＩＨの値は画素の中心（ｘＳ，ｙＳ）においてサンプリングしたＩＨ（ｘＳ，ｙＳ）に定数ｄ２（πｍＲ／Ｎ）ｓｉｎ（πｍＲ／Ｎ）（πｎＲ／Ｎ）ｓｉｎ（πｎＲ／Ｎ）を掛けた値に等しくなる。従って、視野角θＯがθＯ＜＜（λ／ｄ）を満たす物体を受光面で記録すると、各画素の中心でサンプリングした干渉パターンが、物体光Ｌｏと参照光ＬＲが作る干渉パターンＩＨ（ｘＳ，ｙＳ）として記録されることになる。
【００７３】
（複素振幅ホログラムの導出）
受光面５ａ上における、参照光ＬＲの位相周期が、画素ピッチｄの整数倍になるように参照光ＬＲの入射角を特定の値に設定すると、異なる参照光位相に対する複数の干渉パターンを同時に記録できる。このとき、同じ参照光位相に対する干渉パターンは、飛び飛びの画素で記録され、記録画素の間隔は画素ピッチの整数倍になる。視野角θＯが、θＯ＜＜λ／ｄを満たす被写体に対しては、物体光Ｌｏの振幅ＯＯと位相φＯが、受光面５ａの各画素間で緩やかに変化する。従って、上述したように、同じ参照光位相に対する記録データにおいて、記録されていない画素値は、補間によって十分な精度で求めることができる。
【００７４】
上述の図５に示した、４種類の位相値を取りうる参照光ＬＲの入射条件のもとでは、４種類の独立な記録データ（位相シフトホログラムデータ）が得られる。各データに補間処理を施して、３枚または４枚の干渉パターンデータを用いて、物体光Ｌｏの受光面５ａにおける複素振幅を求めることができる。
【００７５】
図７は受光面５ａにおいて注目した格子点（画素の境界交差点）回りの４つの画素の中心における、参照光ＬＲの位相φ１，φ２，φ３，φ４を示す。注目した格子点の参照光位相φGを基準としたとき、格子点の回りの４つの画素中心における位相Δφ１，Δφ２，Δφ３，Δφ４は、前出の式（１）を参照すると、次式（８）（９）となる。
【００７６】
【数６】
2008122565.tif 000008
【００７７】
４つの位相φ１，φ２，φ３，φ４に対して一括して記録された干渉パターン（ホログラムデータ）から、各位相毎に上述の補間によって４枚の干渉パターン（位相シフトホログラムデータ）を求める。格子点右上の画素における４つの干渉パターンの値を、それぞれＩ１，Ｉ２，Ｉ３，Ｉ４とし、格子点の位相φGを基準とした複素振幅の実数部と虚数部である余弦成分ＩＣと正弦成分ＩＳをそれぞれ次式（１０）（１１）とする。
【００７８】
【数７】
2008122565.tif 000009
【００７９】
すると、三角関数の余弦定理と正弦定理などを用いて、Ｉ１，Ｉ２，Ｉ３，Ｉ４をそれぞれ直流成分Ｉｄと低周波数成分ＩＬおよびＩＣ，ＩＳで表すことができる。逆に、複素振幅ホログラムの余弦成分ＩＣと正弦成分ＩＳは、Ｉ１，Ｉ２，Ｉ３，Ｉ４を表す４つの式から求めることができ、次式（１２）（１３）となる。
【００８０】
【数８】
2008122565.tif 000010
【００８１】
上式（１２）（１３）に示した加減演算によって、Ｉ１，Ｉ２，Ｉ３，Ｉ４中の直流成分Ｉｄおよび物体光Ｌｏどうしの干渉で生じる低周波数成分ＩＬは消えてなくなり、物体光Ｌｏと参照光ＬＲとの干渉で生じる目的の交流成分のみが残る。このようにして直流成分Ｉｄと低周波数成分ＩＬを除いた複素振幅をすべての画素において得ることができ、求めた複素振幅から高画質の画像を再生することが可能になる。
【００８２】
（複素振幅インラインホログラムの導出）
式（１２）（１３）によって得られる複素振幅ホログラムは、斜め照射平行参照光に対するオフアクシス方式による空間搬送波型のホログラムである。この斜め照射参照光に対するオフアクシスホログラムから垂直照射参照光（入射角θｘ＝θｙ＝０）に対するインラインホログラムに変換すると、干渉パターンの空間周波数を低くできるので同じ記録画像に対してホログラムデータ量を減らすことができる。しかし、このようなホログラム変換を行うには変換のための計算処理が必要である。
【００８３】
ところが、受光面５ａにおける平行参照光ＬＲの位相の周期が、画素ピッチの２倍または４倍になるように参照光ＬＲの入射角を特定の値に設定すると、複雑な計算を行うことなく、加減演算のみで記録された干渉パターンから直接、インラインホログラムを得ることができ、ホログラム変換のための計算処理を省くことができる。以下、これを示す。
【００８４】
図５に示すように、ｘ方向とｙ方向の位相周期がそれぞれ画素ピッチｄの２倍および４倍になるように入射角θｘ，θｙを設定した場合について説明する。この場合、ｄ，λ，θｘ，θｙは、次式（１４）の関係を満たしている。
【００８５】
【数９】
2008122565.tif 000011
【００８６】
また、上式（１４）を満たすように参照光ＬＲの入射角θｘ，θｙを設定すると、ｘ−ｙ平面上の座標（ｉｄ，ｊｄ）にある格子点の位相は、前出の式（１）により、φＲ（ｉｄ，ｊｄ）＝（２ｉ＋ｊ）π／２となる。図７に示す格子点を基準とする各画素中心の参照光ＬＲの位相は、式（８）（９）により、Δφ１＝３π／４，Δφ２＝−π／４，Δφ３＝−３π／４，Δφ４＝π／４となる。この場合、インラインホログラムの複素振幅の余弦成分ＩＩｎＣと正弦成分ＩＩｎＳとは、（２ｉ＋ｊ）が偶数のとき次式（１５）（１６）となり、（２ｉ＋ｊ）が奇数のときには次式（１７）（１８）となる。すなわち、記録された干渉パターンデータの加減演算のみで複素振幅インラインホログラム（複素振幅情報を有するインラインホログラム）が得られる。
【００８７】
【数１０】
2008122565.tif 000012
【００８８】
（第３の実施形態）
次に、図８を参照して、第３の実施形態に係るカラー対応の画像記録装置を説明し、図９乃至図１２を参照して、画像例を含む記録データの例を説明する。本実施形態の画像記録装置１は、図１に示した第１の実施形態の画像記録装置１が１つのコヒーレント光発生手段２（レーザ光源）を備えているのと異なり、カラー対応のため、赤色Ｒ、緑色Ｇ、青色Ｂの３色のコヒーレント光を発生するように、３つのコヒーレント光発生手段２を備えている。
【００８９】
さらに、画像記録装置１は、各コヒーレント光発生手段２に対応して、ビームスプリッタ３と、照射手段４と、参照光入射手段６とを、それぞれ備えている。本実施形態の画像記録装置１は、これらの点を除いて、上述の第１の実施形態と同様であり、重複説明は省略する。なお、画像記録手段５は、３色に対して共通に用いられる。
【００９０】
この画像記録装置１によると、カラー画像記録の簡単化と高速化を容易に実現できる。すなわち、赤緑青の３色の平行参照光ＬＲそれぞれの受光面５ａへの入射角を設定するだけで、３色に対応する３回の記録により、カラー化に必要な位相シフトホログラムデータを取得できる。
【００９１】
また、異なる色の光毎に入射角の調整を行うことにより、受光面５ａの画素の位相分担を異なる色に対して共通化できる。つまり、位相シフトにおける波長依存性を入射角によって吸収できるので、システム構成を複雑化することなく、カラー画像対応を容易に実現できる。画像記録手段５が、３色共通とされるのは、この波長依存性吸収能力による。
【００９２】
上述の３色に対応する３回の位相シフトホログラムデータの取得は、コヒーレント光発生手段２を、各色に応じて３台のパルスレーザ光源を用いて構成することにより、レーザ光源の光速切替えにより高速に実行できる。
【００９３】
そこで、本発明によれば、パルスレーザと受光素子を用いてコンパクトで安価な３次元動画像記録装置を実現でき、移動する被写体や変化する被写体のカラー画像を高速に記録したり、高画質３次元カラー動画像をリアルタイム記録したりできる。この画像記録装置１は、ノイズの少ない鮮明な３次元カラー動画像表示のための画像記録が可能であり、映像技術分野、情報分野、医療分野、設計支援分野、バーチャルリアリティなどの分野において用いることができる。
【００９４】
（参照光入射角の調整方法）
赤色、緑色、青色３色の干渉パターンから３色の位相シフトデジタルホログラムを取得するには、各参照光ＬＲの入射角θｘ，θｙをそれぞれ所定値に設定する必要がある。この入射角の設定は、第１の実施形態と同様に、図６に示した濃淡図に基づいて行うことができる。
【００９５】
つまり、カラー画像の場合にも、図６のもととなる図５に示した、２×４の画素の組を用いる位相シフト方法を、各色毎に適用することができる。そこで、各色に対して、図６の濃淡図を、参照光ＬＲの入射角θｘ，θｙの調整手段として用いることができる。その調整の自動化等は上述同様であり説明を省略する。
【００９６】
（３次元カラー画像の記録）
各色の光学系は、レーザ光源から受光面５ａまでの参照光ＬＲと物体光Ｌｏの経路長差が、レーザ光のコヒーレンス長内に収まるように設定されている。また、上述のように、参照光ＬＲと物体光Ｌｏとが作る赤色、緑色、青色それぞれの受光面５ａ上の干渉パターンが画像センサ５１と画像記録部５２により記録される。
【００９７】
３次元カラー画像を実質上１回の撮影で記録する方法として、３色パルスレーザ光源のそれぞれの発振時間が重ならないように時分割し、１枚の単色画像センサ５１を用いて３色の干渉パターンを極めて短時間に記録する方法と、カラー対応の画像センサ５１を用いて３色同時に記録する方法とを用いることができる。前者の方法は、３色パルスレーザの発振時間の正確な調整と画像センサ５１からの記録データの高速読み取りが必要になる。これに対して、後者の方法は、感度の問題が考えられるが、記録速度の問題を避けることができる。
【００９８】
（記録画像の例）
被写体の物体１０として１辺の長さが２ｃｍのサイコロを画像センサ５１から７５ｃｍの位置に静止状態で置き、３次元カラー画像記録装置１を用いて位相シフトホログラムを記録した。図９は緑色レーザ光で記録した干渉パターンを示し、図１０（ａ）（ｂ）は、それぞれホログラムデータから求めた複素振幅インラインホログラムの余弦成分および正弦成分の拡大画像を示す。ホログラムデータは、パルスレーザではなく連続発振レーザを用いて上述の第２の実施形態の画像記録方法により、１回の撮影で記録した。複素振幅インラインホログラムの余弦成分および正弦成分は、振幅の実効値を用いて正規化した後に、２５６階調化して表示している。
【００９９】
図９に示す干渉パターンは、物体光Ｌｏと参照光ＬＲとが作る干渉パターンだけでなく物体光Ｌｏどうしが作る干渉パターン（雑音）も含んでいるので、本来の物体光Ｌｏと参照光ＬＲが作る干渉パターンがこの雑音による擾乱の結果、コントラストの低い高周波数の干渉パターン画像として表示されている。これに対し、図１０（ａ）（ｂ）に示すインラインホログラムは、物体光Ｌｏどうしの干渉で生じる成分が除去されており、純粋に物体光Ｌｏと参照光ＬＲとが作る干渉パターンが、コントラストが高く鮮明な、低周波数の干渉パターン画像として表示されている。
【０１００】
図１１（ａ）（ｂ）（ｃ）は、上述のように複素振幅インラインホログラムを、赤色、緑色、青色の３色について取得し、複素振幅データから数値計算によって再生した、それぞれ赤色、緑色、青色の画像を示す。これらの画像は、雑音のない高画質のものであって、画像が記録された被写体と同じ位置に再生されている。
【０１０１】
図１２は、上述の赤色、緑色、青色の複素振幅データから再生したカラー画像を示す。このように画像記録され、計算処理されて再生された図１２のカラー画像は、色ずれのない高画質のカラー画像となっている。
【０１０２】
なお、本発明は、上記構成に限られることなく種々の変形が可能である。例えば、受光面５ａにおける画素と位相との関係は、図４（ａ）（ｂ）や図５に示したものに限られず、全体を９０゜回転した関係や、ｘ軸とｙ軸とを入れ替えた関係なども含まれる。また、図１、図８に示した光学系の配置や、レンズやミラーなどの光学素子の種類なども、これらの図に示したものに限られない。画素間の位相差は、π／２やπとは限らず、π／３でもよい。また、画像センサの画素配置列は、格子状に限られず、任意の２次元配列でもよい。そこで、六角形の画素の千鳥配列や、複数種類の大きさを有する画素配列などによって２次元平面を覆うような受光面でもよい。なお、上述の位相、位相値、位相状態などの用語は、本来、互いに相対的な事柄を表すものであるが、誤解の生じない範囲で、簡便化して用いられている。
【図面の簡単な説明】
【０１０３】
【図１】本発明の第１の実施形態に係る画像記録装置の概念構成図。
【図２】本発明の第２の実施形態に係る画像記録方法のフローチャート。
【図３】（ａ）（ｂ）は同上画像記録装置および画像記録方法における参照光の受光面への入射を説明する図。
【図４】（ａ）（ｂ）は同上画像記録装置および画像記録方法における各画素に対する位相シフトの例を説明する図。
【図５】同上画像記録装置および画像記録方法における受光面の各画素に対する位相シフトの他の例を説明する図。
【図６】図５に示した画素構成の受光面における参照光と垂直入射平行物体光とによる干渉パターンの濃淡表示図。
【図７】図５に示した画素配列の格子点における複素振幅演算の説明図。
【図８】本発明の第３の実施形態に係るカラー対応の画像記録装置の概念構成図。
【図９】同上画像記録装置によって記録された赤色の干渉パターンの例を示す図。
【図１０】（ａ）は図９の干渉パターンの複素振幅の実数部に対応するホログラムの図、（ｂ）は同複素振幅の虚数部に対応するホログラムの図。
【図１１】（ａ）は図９の干渉パターンから再現された赤色画像の図、（ｂ）は図９の干渉パターンと共に記録された干渉パターンから再現された緑色画像の図、（ｃ）は図９の干渉パターンと共に記録された干渉パターンから再現された青色画像の図。
【図１２】図１１（ａ）（ｂ）（ｃ）の画像を再現した干渉パターンに基づいて再現されたカラー画像の図。
【符号の説明】
【０１０４】
１    画像記録装置
２    コヒーレント光発生手段
３    ビームスプリッタ
４    照射手段
５    画像記録手段
６    参照光入射手段
５１    画像センサ
５ａ    受光面
Ｌｉ    照明光
Ｌｏ    物体光
ＬＲ    参照光
【図１】
2008122565.tif 000013
【図２】
2008122565.tif 000014
【図３】
2008122565.tif 000015
【図４】
2008122565.tif 000016
【図５】
2008122565.tif 000017
【図７】
2008122565.tif 000018
【図８】
2008122565.tif 000019
【図６】
2008122565.tif 000020
【図９】
2008122565.tif 000021
【図１０】
2008122565.tif 000022
【図１１】
2008122565.tif 000023
【図１２】
2008122565.tif 000024